(57)【要約】　　　（修正有）【課題】体積が小さく、着脱及び携帯に便利なヘッドバンド調整装置の提供。【解決手段】基台１、調整台２、圧片３、調整バネ片４、二つの軸ピン５から構成する。調整台は基礎凹溝上に配置され、基台に形成された基礎孔１３を通す基礎栓１４により基台に連結される。調整台は、向かい合った翼片２１及び水平片２２を備え、また、圧片は翼片側面に設置され、外条３２を備える。調整バネ片は、中央両端に係合孔２１２に係合する固定凸４２が成形され、両側底部は内に凹んだ昇降導入溝４３が形成されてその端縁は厚みが薄い斜め片４４としてバンドの棘歯を係止する。二つの軸ピンは、両端に栓孔２１４に嵌合する軸凸５１を設ける。バンドは、軸ピンを巻回して両側に引出し、バンドの棘歯と調整バネ片が掛合して固定される。圧片３を押圧して外条３２で調整バネ片を押し上げて軸ピンの間との間隔を広げてバンドの棘歯を通すことにより、バンドの長さを調節可能とする。【選択図】　　　　図１
0003098763.tif 000002
【実用新案登録請求の範囲】
【請求項１】
主に基台と、
基台上に連結され、向かい合った翼片の間に設けられた水平片と軸ピン及び両側に設置された調整枠によってバンドを設置する調整台と、
翼片の外側に設置する少なくとも一つの圧片と、
その両側端に形成された斜め片がバンドの棘歯と係合して固定する調整バネと、から構成され、
圧片を押圧して該斜め片を押し上げて斜め片とバンド棘歯との間隔を広げてその係合を開放することにより、バンドを頭部に合う閉め具合に調整可能としたことを特徴とするヘッドバンド調整装置。
【請求項２】
前記基台は、前記調整台の翼片に設置された翼孔に基礎栓を挿入して連結されることを特徴とする請求項１記載のヘッドバンド調整装置。
【請求項３】
前記圧片は、その前方に一対の圧条が設置され、その間に形成された隙間にバネを設置し、その両外側にはそれぞれ上記斜め片を押し上げる外条が形成されていることを特徴とする請求項１記載のヘッドバンド調整装置。
【請求項４】
前記調整バネ片は、片体で、中央両端には固定凸が形成され、翼片に形成された係合孔に係合されることを特徴とする請求項１記載のヘッドバンド調整装置
【考案の詳細な説明】
【０００１】
【考案の属する技術分野】
本考案は、ヘッドバンド調整装置に関するもので、調整バネ片の上げ下げによって、ヘッドバンドを固定したり、緩めたりして調節する装置であり、特に水中メガネ等に適用するものである。
【０００２】
【従来の技術】
一般に人の頭部に設置するものとして、ヘッドバンド、ヘルメット、水中メガネ、ゴーグル、ヘッドランプ等々、各種様々なものがある。この種の頭上に設置する物として、重要なのは、異なる頭のサイズにも対応し、快適さと締め具合を調節できることである。事実、締め具合が、快適さも左右する。
公知の水中メガネを例にとると、そのヘッドバンドにとってヘッドバンド調整装置は必須で、公知の調整装置は、水中メガネ両側に設置され、少なくとも片側で、締め具合を調節するようになっているが、この種の方式では、両側で調整しなければならず、不便である。更に水中メガネデザインの顔部分の丸みを損ね、同時に両側の調整装置が水中メガネの体積を大きくし、着脱及び携帯が不便である。また、この調整装置は取り付けが頭部後方に設置されるものもあるが、複雑な方法であるため、便利とは言えない。
【０００３】
【考案が解決しようとする課題】
このため、本考案は、上述の問題を改善するヘッドバンド調整装置を提供することを課題とする。
【０００４】
【課題を解決するための手段】
上記課題を解決するため、本考案のヘッドバンド調整装置は、基台、調整台、圧片、調整バネ片、二つの軸ピンから構成される。基台は、貫通した基礎孔が成形され、調整台は、基台に連結し、向かい合った翼片及び両側の調整枠を備える。また少なくとも一つの圧片は翼片側面に設置され、外側には外条が延びる。また、調整バネ片は片体で、中央両端に固定凸が成形され、両側底部は内に凹んだ昇降導入溝が成形され、端は厚みが薄くなった斜め片で、バンドの棘歯に相互に関わる。二つの軸ピンは両端に軸凸が成形される。バンドが軸ピンを回り、逆方向で調整枠から出る。バンドの棘歯によって、調整バネ片に掛合され、定位する。また圧片を押すと、外条が昇降導入溝を押し、調整バネ片と軸ピンの間に大きな距離を形成し、バンドを調節することを特徴とするものである。
【０００５】
【考案実施の形態】
以下、本考案ヘッドバンド調整装置の実施例を図面に基づいて説明する。
先ず、図１が示すように、本考案は、基台１、調整台２、圧片３二枚、調整バネ片４及び軸ピン二つから構成される。
【０００６】
そのうち、基台１は、固定部材で、頭部に接触して使用し、底面となる。また、装着時、頭部の円弧形に沿うよう、軟質材を用いるのがよい。更に最上面、即ち装着時に外側を向く中央部位は、平らに削り、平面の基礎台１１とする。そしてその中央には、両側まで通った基礎凹溝１２が成形される。また、その下方には基礎孔１３が貫設される。基本的に基台１は中央が厚く、両側が薄い形状であるが、これに限らない。後述する調整台２を固定し、基礎栓１４を設置する。
【０００７】
調整台２は、基台１に垂直な翼片２１二枚と、それに垂直で、水平に設置された水平片２２二枚から構成される。この二枚の水平片２２の間には一筋の条槽２３が形成され、図に示すとおり、この水平片２２は、翼片２１の内側に設置され、各水平片２２の外側には調整枠２４が形成され、翼片２１と一体成型される。二枚の翼片２１上には、前述した基礎孔１３に対応する翼孔２１１が成形され、その上方にはそれより大きい掛合孔２１２が開設される。またこの掛合孔２１２の両外側上方にはそれぞれ片孔２１３が成形され、最外端には栓孔２１４が、そして最上方の中央位置には導入孔２１５が貫設される。
【０００８】
圧片３は、使用者が押して使用する。そのうち、中央には二本の平行な圧条３１が備えられ、サイズは掛合孔２１２に対応して脱落しないようにする。そのため、各圧条の両外側面には、それぞれ斜め向きの条凸３１１が成形され、二本の圧条３１間には隙間３１２が形成され、そこにバネ３１３を設置する。この他、この圧片の圧条３１外側には、前端が斜めに薄くなった外条３２が設置され、そのサイズは前述の片孔２１３に対応し、嵌入して移動する。この圧片３は向かい合って設置され、使用者が両手でそれぞれ押圧する。
【０００９】
調整バネ４は片状で、その最上部中央には上片４１が形成され、その両側には固定凸４２が設置され、底部外側にはそれぞれ昇降導入溝４３が開設される。この他、調整バネ外縁も斜めになっており、外向きに突出した斜め片４４が成形される。
【００１０】
軸ピン５は、軸体で、その両端には軸凸５１が具えられ、前述の栓孔２１４に嵌入し、バンド巻き軸となる。
【００１１】
図に示すとおり、本考案組立時、調整台２を基台１上に嵌め込み、基礎栓１４を翼孔２１１及び基礎孔１３に差込む。更に圧片３の圧条３を掛合孔２１２に嵌入し、同じく外条３２を片孔２１３に差込み、その後バネ１３を隙間３１２内に設置する。軸ピン５は軸凸５１を使って栓孔２１４に嵌合する。最後に調整バネ片４の固定凸４２を導入孔２１５に掛合して組立が完成する。図２に示すのは、ヘッドバンドＡを二本の軸ピン５に巻きつけ、外向きに伸ばした状態である。ヘッドバンドＡ上には、端方向斜め向きに突起した棘歯Ｂが設置されるので、固定後、巻き戻ることなく、図２の長さを固定する。
【００１２】
図２及び３に示すとおり、本考案の調整装置によって、ヘッドバンドの締め具合を調整する場合、両側の圧片３を押す。この時、外条３２の傾斜面に沿って内向きに移動する。その斜面が、昇降導入溝４３を徐々に持ち上げ、外側の斜め片４４と軸ピン５の間隔が広がる。これによって、ヘッドバンドＡを引いたり、緩めたりするとき、ヘッドバンドＡの棘歯Ｂが通過でき、必要な長さに調節できる。調整後、圧片３への押圧力を緩めると、バネ３１３の弾発力により圧片３が外側に押出され、外条３２が外側に移動し、斜め片４４が調整バネ４を下降させ、棘歯Ｂによって固定する状態に回復する。
本考案は、ヘッドバンド調整装置を後頭部位置に設置し、手で押すことによって調整台２、両側の圧片３がヘッドバンドＡを調節する目的を達する。
上述の構造になる圧片３は、片側だけでも同じ調整機能を備える。
【００１３】
【考案の効果】
以上説明したように、本考案のヘッドバンド調整装置は、基台、調整台、圧片、調整バネ片、二つの軸ピンから構成される。基台は、貫通した基礎孔が成形され、調整台は、基台に連結し、向かい合った翼片及び両側の調整枠を備える。また少なくとも一つの圧片は翼片側面に設置され、外側には外条が延びる。また、調整バネ片は片体で、中央両端に固定凸が成形され、両側底部は内に凹んだ昇降導入溝が成形され、端は厚みが薄くなった斜め片で、バンドの棘歯に相互に関わる。二つの軸ピンは両端に軸凸が成形される。バンドが軸ピンを回り、逆方向で調整枠から出る。バンドの棘歯によって、調整バネ片に掛合されて固定する。また圧片を押すと、外条が昇降導入溝を押し、調整バネ片と軸ピンの間に大きな距離を形成し、バンドを調節するという特徴をもつ。それにより、体積が小さく、着脱及び携帯に便利である。
【図面の簡単な説明】
【図１】本考案の立体分解図である。
【図２】本考案の組立後の断面図である。
【図３】本考案の作動時の断面図である。
【符号の説明】
１　基台
１１　基礎台
１２　基礎凹溝
１３　基礎孔
１４　基礎栓
２　調節台
２１　翼片
２１１　翼孔
２１２　掛合孔
２１３　片孔
２１４　栓孔
２１５　導入孔
２２　水平片
２３　条槽
２４　調整枠
３　圧片
３１　圧条
３１１　条凸
３１２　隙間
３１３　バネ
３２　外条
４　調節バネ
４１　上片
４２　固定凸
４３　昇降導入溝
４４　斜め片
５　軸ピン
５１　軸凸
Ａ　ヘッドバンド
Ｂ　棘歯
【図１】
0003098763.tif 000003
【図２】
0003098763.tif 000004
【図３】
0003098763.tif 000005